(57)【要約】      （修正有）【課題】モップ部の脱水作業が容易であり、かつ使用の容易なモップ構造を提供する。【解決手段】モップ部と、二つの位置付け部材と可動部とが含有される。モップ部には清掃部と制限溝部が設けられる。位置付け部材は、制限溝部に組立てられる側部当接面と、上下両側に当接面を有し、上側当接面に半円形嵌合口が形成され、内壁に係止部が設けられる。可動部は、握り棒と、被係止部を有する係合部と、係合部の中心で、嵌合口に対応する嵌合部とを有し、嵌合部と係合部とは、嵌合口に沿って上下変位できる。【選択図】図１
0003157542.tif 000002
【実用新案登録請求の範囲】
【請求項１】
清掃部と、該清掃部の上面に制限溝部が設けられるモップ部と、
それぞれ、対称的に制限溝部に組立てられる側部当接面が設けられ、内側面に、内チェック空間が形成されることにより、上下両側に、それぞれ、下側当接辺を有する当接面が形成され、上側当接面に半円形嵌合口が形成され、内壁に係止部が設けられる二つの位置付け部材と、
握り棒を有し、係合部には二つの位置付け部材の内チェック空間内に位置する被係止部があり、係合部の中心に、嵌合口に対応して口径がやや小さい嵌合部が突出し、上記係合部の厚さが、内チェック空間の高さより小さく、嵌合部と係合部とが、内チェック空間内で、嵌合口に沿って上下変位できる可動部と、
が含有され、
可動部の被係止部と位置付け部材の係止部とが、握り棒を上方へ引き上げるとともに、係止し、モップ部と握り棒とを同期回転させることができ、また、握り棒を、可動部の被係止部が位置付け部材の係止部から脱離するまで下方へ引き下げるとともに、モップ部と清掃部とを軸回転させることができる、
ことを特徴とするモップ構造。
【請求項２】
上記可動部の係合部が、円盤状に形成されたものであることを特徴とする請求項１に記載のモップ構造。
【請求項３】
上記位置付け部材の係止部と可動部の被係止部とが、歯状に形成されたものであることを特徴とする請求項１に記載のモップ構造。
【請求項４】
上記位置付け部材の係止部と可動部の被係止部とが、それぞれ、矩形ブロック状と矩形溝状に形成されて互いに係止できることを特徴とする請求項１に記載のモップ構造。
【請求項５】
上記可動部の嵌合部の上面に、両側に枢着孔を有する凹形状溝部が設けられ、また、握り棒の底端に、枢着孔に枢着できる枢着柱が設けられ、可動部の溝部に、嵌合部の外径より大きい当接面が形成されることを特徴とする請求項１に記載のモップ構造。
【請求項６】
上記位置付け部材の上側当接面に、可動部の係合部に合わせて、内チェック空間に沿って上へ所定の角度で半円形の対応領域が形成され、位置付け部材の係止部が、対応領域に形成されることを特徴とする請求項１に記載のモップ構造。
【請求項７】
上記モップ部の制限溝部の四つの内壁に、若干の矩形孔状の係合領域が設けられ、位置付け部材の側部当接面と上側当接面との接触領域に、係合領域と係止して位置付けできる若干の係合ブロックが設けられることを特徴とする請求項１に記載のモップ構造。
【請求項８】
上記位置付け部材の下側当接辺の両側に、それぞれ、内チェック空間に沿って突出状の接合部と凹みの接合領域が設けられることを特徴とする請求項１に記載のモップ構造。
【請求項９】
上記モップ部の制限溝部が、矩形状に形成され、位置付け部材の側部当接面が、〔状に形成されることを特徴とする請求項１に記載のモップ構造。
【請求項１０】
上記モップ部において、制限溝部の両側壁の上段に、係止部が設けられ、二つの位置付け部材において、それぞれ、内チェック空間の両外側に、モップ部の係止部内に収納され、互いに係止でき、対称する係止ホックと係止孔が設けられることを特徴とする請求項１に記載のモップ構造。
【請求項１１】
上記位置付け部材の上側当接面に、可動部の係合部に合わせて、内チェック空間に沿って上方へ半円形の対応領域が設けられ、位置付け部材の係止部が、対応領域の上面内壁に矩形ブロック状に設けられ、可動部の被係止部が、係合部の上面の周りに、矩形溝状に設けられることを特徴とする請求項１に記載のモップ構造。
【請求項１２】
上記位置付け部材の下側当接辺に、それぞれ、互いに嵌合する、内チェック空間に沿って突出状の接合部と凹みの接合領域が設けられることを特徴とする請求項１に記載のモップ構造。
【請求項１３】
上記モップ部の底面に、リング状凹部が設けられ、その両側に当接壁が形成され、凹溝の上面に若干の実装領域が貫設され、清掃部が凹溝内に設置され、両側当接壁によって限制されて下方へ垂れ、また、リング状圧迫面を有する押さえ部材が、凹溝内に収納され、圧迫面の上面に、若干の実装領域に対応して位置付けできる被実装領域が設置され、清掃部が凹溝内に固定されることを特徴とする請求項１に記載のモップ構造。
【請求項１４】
上記モップ部の実装領域が、矩形孔状に形成され、嵌合脚と案内ホック部とが形成される押さえ部材の被実装領域が係止ホック状であり、清掃部の隙間から実装領域に沿って案内ホック部によりモップ部の端面に係止されることを特徴とする請求項１３に記載のモップ構造。
【請求項１５】
上記モップ部の実装領域が、管柱であり、押さえ部材の被実装領域が、穿孔であり、上記穿孔の内径が、管柱の外径よりやや大きく、下方へ比較的大きい口径を有する収納部が伸びて当接縁が形成され、それに螺条部と当接部を有する部品が、下方から上方へ貫設されて管柱にロックされ、当接部が、当接縁により当接されて収納部内に隠されることを特徴とする請求項１３に記載のモップ構造。
【請求項１６】
上記押さえ部材の圧迫面の上表面に、圧迫面に合わせて清掃部に圧迫して位置付けるための若干の歯状のすべり防止突出ブロックが形成されることを特徴とする請求項１３に記載のモップ構造。
【請求項１７】
上記清掃部が、帯体により、若干の棉条／布条が結合されたものであり、各棉条／布条が、内短外長に配列されて帯体に結合されるため、短側部と長側部が形成され、清掃部の短側部が、当接壁により拘束されてモップ部の内面に分布し、長側部が、当接壁により拘束されて下方へ垂れることを特徴とする請求項１３に記載のモップ構造。
【請求項１８】
上記清掃部の各棉条／布条が、二つの棉束を交合に絡み合って線材により編まれて位置づけられ、また、上記線材で二つの棉束を絡み合う部位が内部に隠されて、二つの棉束が、隆起嵩高状になることを特徴とする請求項１７に記載のモップ構造。
【請求項１９】
上記清掃布が、若干のＵ状で且つ畳み合い端があり、緊密にリング状に配列された棉条／布条と口紐付き袋とが縫製されることにより形成され、口紐付き袋の周縁に凹溝を有するモップ部を嵌合するための弾性部品を有する袋体が形成され、口紐付き袋の弾性部品をモップ部の凹溝に係合するだけでモップが組立てられることを特徴とするモップ構造。
【請求項２０】
上記モップ部の底面が、円形状又は長方形状等の任意の多辺造型であり、口紐付き袋の底ライナーが、モップ部の底面に類似する形状であることを特徴とする請求項１９に記載のモップ構造。
【請求項２１】
上記口紐付き袋のリング状の中央空間に弾性部品が設置されることを特徴とする請求項１９に記載のモップ構造。
【請求項２２】
上記清掃布が、若干のＵ状で且つ畳み合い端があり、緊密にリング状に配列された棉条／布条と口紐付き袋とが縫製されることにより形成され、口紐付き袋の周縁に凹溝を有するモップ部を嵌合するための弾性部品を有する袋体が形成され、口紐付き袋の弾性部品をモップ部の凹溝に係合するだけで、モップが組立てられることを特徴とするモップ構造。
【請求項２３】
上記モップ部の底面が、円形状又は長方形状等の任意の多辺造型であり、口紐付き袋の底ライナーが、モップ部の底面に類似する形状であることを特徴とする請求項２２に記載のモップ構造。
【考案の詳細な説明】
【技術分野】
【０００１】
本考案は、モップ構造に関し、特に、モップ部の上面に、二つの位置付け部材と握り棒を有する可動部が組立てられる制限溝部が設けられ、可動部と位置付け部材との間において、握り棒が上方へ変位するとともに、モップ部と握り棒とが同期に回転し、握り棒が下方へ変位するとともに、モップ部軸が回転すること（例えば、台湾特許公告Ｍ３２７７０９号）により、多用途の使用が実現されるモップ構造に関する。
【背景技術】
【０００２】
従来、床面等の清掃には清掃用モップが使用されているが、既存の床清掃用の各種類のモップは、清掃に使用する場合、高速で回転する脱水装置で、清掃部に付着した水分を抜くことができるので、清掃作業中は、手でモップの清掃部をしぼらなくてもよい。
しかし、従来の床清掃用モップは、モップ部と握り棒とが、直接に結合して組立てられているため床清掃用モップを脱水装置にかけると、モップ部の清掃部が、脱水装置とともに回転すれば、モップ部と握り棒とも、同期に転動することになる。
【０００３】
そのため、作業者が、握り棒を直立にある点に固定してから、脱水装置を駆動する必要があった。また、清掃部を脱水した後、握り棒を取り外してから、モップ全体を脱水装置から取り出した後、清掃に供されている。このように、清掃の際のモップの脱水処理については上記のような操作を繰り返すことが必要であったから、使用上煩雑であり、作業効率が劣るものであった。
【０００４】
また、既存の清掃用モップは、清掃部（例えば、棉条／布条等）がリベット構造やマジックテープ（登録商標）等によりモップ部に結合されているため、リベット構造の場合、清掃部を交換することができないので、モップ全体を廃棄せざるを得ず、廃棄物の増加につながるものであって、環境保護に悪影響を与えるものであり、また、経済的ではないという問題があった。
【０００５】
従って、上記の如き、従来の清掃用モップの欠点を解消し、簡便な操作により脱水作業の容易な清掃用モップの開発が切望されてきたが、かかる状況に鑑み、本考案者は、上記欠点を解消するため鋭意研究を重ねた結果、握り棒とモップ部を連結する可動部と位置付け部材との連結自在の構造に着目し、かかる知見に基づいて本考案の完成に到達した。
【考案の開示】
【考案が解決しようとする課題】
【０００６】
本考案の主な目的は、モップ部の上面に、内チェック空間と対応領域及び嵌合口を有する位置付け部材と、握り棒と係合部及び嵌合部を有する可動部が組立てられ、位置付け部材の対応領域と可動部との係合部に、それぞれ、互いに係止する係止部と被係止部が設けられ、可動部と位置付け部材との間において、握り棒を上方へ変位する（引き上げる）こととともに、モップ部と握り棒とを同期に回転させ、一方、握り棒を下方へ変位する（引き下げる）こととともに、モップ部軸が回転するモップ構造を提供する点にあり、これにより多用途の使用が実現されるモップ構造を提供する点にある。
【０００７】
本考案の他の目的は、握り棒を下方へ引き下げることにより、可動部の被係止部と位置付け部材の係止部とが接触しないように設計したものであり、清掃部が、脱水装置とともに、回転する時、モップ部と位置付け部材とが、可動部軸で回転でき、握り棒が回転しないように設計したことにより、作業者が、握り棒を所定の位置に位置付けなくても、直接に握り棒のモップ部を、脱水装置に設置して清掃部の水分を抜くことができ、操作効率の優れたモップ構造を提供する点にある。
【課題を解決するための手段】
【０００８】
かくして、本考案によれば、
請求項１において、
清掃部と、該清掃部の上面に制限溝部が設けられるモップ部と、
それぞれ、対称的に制限溝部に組立てられる側部当接面が設けられ、内側面に内チェック空間が形成されることにより、上下両側に、それぞれ、下側当接辺を有する当接面が形成され、上側当接面に、半円形嵌合口が形成され、内壁に、係止部が設けられる二つの位置付け部材と、
握り棒を有し、係合部には二つの位置付け部材の内チェック空間内に位置する被係止部があり、係合部の中心に、嵌合口に対応して口径がやや小さい嵌合部が突出し、上記係合部の厚さが、内チェック空間の高さより小さく、嵌合部と係合部とが、内チェック空間内で、嵌合口に沿って上下変位できる可動部と、
が含有され、
可動部の被係止部と位置付け部材の係止部とが、握り棒を引き上げるとともに、係止し、モップ部と握り棒とを同期回転させることができ、また、握り棒を、可動部の被係止部が位置付け部材の係止部から脱離するまで下方へ引き下げるとともに、モップ部と清掃部とを軸回転させることができる、
ことを特徴とするモップ構造が提供される。
【０００９】
請求項２によれば、可動部の係合部が、円盤状に形成されたものであることを特徴とする請求項１に記載のモップ構造が提供される。
【００１０】
請求項３によれば、位置付け部材の係止部と可動部の被係止部とが、歯状に形成されたものであることを特徴とする請求項１に記載のモップ構造が提供される。
【００１１】
請求項４によれば、位置付け部材の係止部と可動部の被係止部とが、それぞれ、矩形ブロック状と矩形溝状に形成されて互いに係止できることを特徴とする請求項１に記載のモップ構造が提供される。
【００１２】
請求項５によれば、可動部の嵌合部の上面に、両側に枢着孔を有する凹形状溝部が設けられ、また、握り棒の底端に、枢着孔に枢着できる枢着柱が設けられ、可動部の溝部が、嵌合部の外径より大きくて当接面が形成されることを特徴とする請求項１に記載のモップ構造が提供される。
【００１３】
請求項６によれば、位置付け部材の上側当接面に、可動部の係合部に合わせて、内チェック空間に沿って上へ所定の角度で半円形の対応領域が形成され、位置付け部材の係止部が、対応領域に形成されることを特徴とする請求項１に記載のモップ構造が提供される。
【００１４】
請求項７によれば、モップ部の制限溝部の四つの内壁に、若干の矩形孔状の係合領域が設けられ、位置付け部材の側部当接面と上側当接面との接触領域に、係合領域と係止して位置付けできる若干の係合ブロックが設けられることを特徴とする請求項１に記載のモップ構造が提供される。
【００１５】
請求項８によれば、位置付け部材の下側当接辺の両側に、それぞれ、内チェック空間に沿って突出状の接合部と凹みの接合領域が設けられることを特徴とする請求項１に記載のモップ構造が提供される。
【００１６】
請求項９によれば、モップ部の制限溝部が、矩形に形成され、位置付け部材の側部当接面が、〔状に形成されることを特徴とする請求項１に記載のモップ構造が提供される。
【００１７】
請求項１０によれば、モップ部において、制限溝部の両側壁の上段に、係止部が設けられ、二つの位置付け部材において、それぞれ、内チェック空間の両外側に、モップ部の係止部内に収納され、互いに係止でき、対称する係止ホックと係止孔が設けられることを特徴とする請求項１に記載のモップ構造が提供される。
【００１８】
請求項１１によれば、位置付け部材の上側当接面に、可動部の係合部に合わせて、内チェック空間に沿って上方へ半円形の対応領域が設けられ、位置付け部材の係止部が、対応領域の上面内壁に矩形ブロック状に設けられ、可動部の被係止部が、係合部の上面の周りに、矩形溝状に設けられることを特徴とする請求項１に記載のモップ構造が提供される。
【００１９】
請求項１２によれば、上記位置付け部材の下側当接辺に、それぞれ、互いに嵌合する、内チェック空間に沿って突出状の接合部と凹みの接合領域が設けられることを特徴とする請求項１に記載のモップ構造が提供される。
【００２０】
請求項１３によれば、モップ部の底面に、リング状凹部が設けられ、その両側により、当接壁が形成され、凹溝の上面に、若干の実装領域が貫設され、清掃部が、凹溝内に設置され、両側当接壁によって限制されて下方へ垂れ、リング状圧迫面を有する押さえ部材が、凹溝内に収納され、圧迫面の上面に、若干の実装領域に対応して位置付けできる被実装領域が設置され、清掃部が凹溝内に固定されることを特徴とする請求項１に記載のモップ構造が提供される。
【００２１】
請求項１４によれば、モップ部の実装領域が、矩形孔状に形成され、嵌合脚と案内ホック部とが形成される押さえ部材の被実装領域が係止ホック状であり、清掃部の隙間から実装領域に沿って案内ホック部によりモップ部の端面に係止されることを特徴とする請求項１３に記載のモップ構造が提供される。
【００２２】
請求項１５によれば、上記モップ部の実装領域が、管柱であり、押さえ部材の被実装領域が、穿孔であり、上記穿孔の内径が、管柱の外径よりやや大きく、下方へ比較的に大きい口径を有する収納部が伸びて当接縁が形成され、それに螺条部と当接部を有する部品が、下方から上方へ貫設されて管柱にロックされ、当接部が、当接縁により当接されて収納段内に隠されることを特徴とする請求項１３に記載のモップ構造が提供される。
【００２３】
請求項１６によれば、上記押さえ部材の圧迫面の上表面に、圧迫面に合わせて清掃部に圧迫して位置付けるための若干の歯状のすべり防止突出ブロックが形成されることを特徴とする請求項１３に記載のモップ構造が提供される。
【００２４】
請求項１７によれば、上記清掃部が、帯体により、若干の棉条／布条が結合されたものであり、各棉条／布条が、内短外長に配列されて帯体に結合されるため、短側部と長側部が形成され、清掃部の短側部が、当接壁により拘束されてモップ部の内面に分布し、長側部が、当接壁により拘束されて下方へ垂れることを特徴とする請求項１３に記載のモップ構造が提供される。
【００２５】
請求項１８によれば、上記清掃部の各棉条／布条が、二つの棉束を交合に絡み合って線材により編まれて位置づけられ、また、上記線材で二つの棉束を絡み合う部位が内部に隠されて、二つの棉束が、隆起嵩高状になることを特徴とする請求項１７に記載のモップ構造が提供される。
【００２６】
請求項１９によれば、清掃布が、若干のＵ状で且つ畳み合い端があり、緊密にリング状に配列された棉条／布条と口紐付き袋とが縫製されることにより形成され、口紐付き袋の周縁に凹溝を有するモップ部を嵌合するための弾性部品を有する袋体が形成され、口紐付き袋の弾性部品をモップ部の凹溝に係合するだけでモップが組立てられることを特徴とするモップ構造が提供される。
【００２７】
請求項２０によれば、モップ部の底面が、円形状や長方形状等の任意の多辺造型であり、口紐付き袋の底ライナーが、モップ部の底面に類似する形状であることを特徴とする請求項１９に記載のモップ構造が提供される。
【００２８】
請求項２１によれば、口紐付き袋のリング状の中央空間に、弾性部品が設置されることを特徴とする請求項１９に記載のモップ構造が提供される。
【００２９】
請求項２２によれば、清掃布が、若干のＵ状で且つ畳み合い端があり、緊密にリング状に配列された棉条／布条と口紐付き袋とが縫製されることにより形成され、口紐付き袋の周縁に凹溝を有するモップ部を嵌合するための弾性部品を有する袋体が形成され、口紐付き袋の弾性部品をモップ部の凹槽に係合するだけで、モップが組立てられることを特徴とするモップ構造が提供される。
【００３０】
請求項２３によれば、モップ部の底面が、円形状又は長方形状等の任意の多辺造型であり、口紐付き袋の底ライナーが、モップ部の底面に類似する形状であることを特徴とする請求項２２に記載のモップ構造が提供される。
【考案の効果】
【００３１】
本考案によれば、上記の如きモップ部と位置付け部材と可動部とから構成されてなり、基本的な効果は、握り棒を上方へ引き上げることにより、握り棒とモップ部を同期に回転させることができ、握り棒を下方へ下げることによりモップ部のみを回転させることができることにあるので、脱水装置によるモップ部の脱水作業が容易となるほか、溝掃の効率が上がり、また、多用途への使用が可能となるなど顕著な効果を奏する。なお、各実施形態における効果は各形態毎に記載してある。
【考案を実施するための最良の形態】
【００３２】
以下、図面を参照しながら、本考案に係るモップ構造の特徴及び技術内容について、詳しく説明する。もっとも、図面等は、参考や説明のためであり、本考案は、それらによって限定されるものではない。
【００３３】
図１を参照しながら、本考案に係るモップ構造について具体的に説明する。本考案に係るモップ構造は、モップ部１０と二つの位置付け部材２０及び可動部３０から構成される。
【００３４】
モップ部１０は、底面に、拭き取るための清掃部４０が組立てられ、上面に、矩形制限溝部１１が設けられる。制限溝部１１の四つの内壁に、若干の矩形孔状の係合領域１２が形成される。
【００３５】
位置付け部材２０は図２及び図３に示すように、断面が凵状であり、制限溝部１１の形状に合わせて、側部当接面２１が形成され、内側面に、内チェック空間２２が形成される。これにより、上下両側に、それぞれ、下側当接辺２３を有する上側当接面２４が形成される。また、上側当接面２４が、内チェック空間２２に沿って上へある角度で半円形の対応領域２４１が伸びて、半円形の嵌合口２４２が形成される。対応領域２４１の内壁に、若干の歯状の係止部２４３が形成される。また、側部当接面２１と上側当接面２４との接触領域に、係合領域１２に対応する若干の係合ブロック２５が設けられる。そして、側部当接辺２３の両側に、それぞれ、内チェック空間２２と対応領域２４１に沿って、突出状の接合部２３１と凹みの接合領域２３２が設けられる。
【００３６】
可動部３０は、対応領域２４１に合わせて、円盤状の係合部３１が設置される。上記係合部３１の厚さが、内チェック空間２２の高さより小さく、周りに、若干の歯状の被係止部３２が設置される。係合部３１の中央に、口径がやや小さい嵌合部３３が突出し、また、嵌合部３３の上面に、底端に枢着柱３５１を有する握り棒３５に合わせて、両側に枢着孔３４１を有する凹形状溝部３４が設けられる。上記溝部３４が、嵌合部３３の外径より大きいため、当接面３４２が形成される。
【００３７】
本考案に係るモップ構造によれば、図４乃至図６に示すように、先ず、二つの位置付け部材２０の内チェック空間２２を、対称するように、可動部３０の係合部３１の両側で、下側当接辺２３に当接するまで枢着する。この時、二つの位置付け部材２０の接合部２３１と接合領域２３２とが、互いに係合して、上下変位しないように、位置づけられる。二つの位置付け部材２０の嵌合口２４２が、嵌合部３３に位置し、係合部３１が、内チェック空間２２内に隠れるように枢着される。その後、二つの位置付け部材２０を、可動部３０とともに、上から下へ、同時に、モップ部１０の制限溝部１１内に設置される。二つの位置付け部材２０の側部当接面２１が、下側当接辺２３による付勢力により、内チェック溝部１１の内壁に貼り付けられる。また、係合ブロック２５が、係合領域１２内に嵌合されて、二つの位置付け部材２０が、確実に制限溝部１１内に固定される。そして、握り棒３５の下端を、枢着柱３５１と枢着孔３４１とが互いに枢着するまで、摺動的に、可動部３０の溝部３４に枢着すると、組立てが完成する。
【００３８】
モップ部１０の清掃部４０を、脱水装置にかける場合及び床面に置く場合、握り棒３５が、重力により、自然に下方へ変位する時（図７のように）、可動部３０の嵌合部３３が、握り棒３５の重力により、二つの位置付け部材２０の嵌合口２４２に沿って下方へ変位する。これにより、可動部３０の被係止部３２が、位置付け部材２０の係止部２４３と接触しなくなり、係合部３１が、内チェック空間２２内に枢着される。
【００３９】
そのため、清掃部４０が、脱水装置とともに回転しても、握り棒３５が回転せず、モップ部１０と位置付け部材２０の嵌合口２４２とが、可動部３０の嵌合部３３軸で回転することになる。従って、作業者が、握り棒３５を位置付けなくても、手で握り棒３５を持って、直接にモップ部１０を脱水装置内に設置して清掃部４０の水分を抜くことができるため、操作効率が向上する。また、床面を清掃する場合、モップ部１０が、拭き取る床面および床の構造に応じて、可動部３０や握り棒３５によって制限されず、自在に転動できるので、よりスムーズに使用することができ、且つ気楽に操作することができるので、より良い使用状態が実現される。
【００４０】
握り棒３５が、上方へ変位する時（図８のように）、モップ部１０が、清掃部４０の重力により、位置付け部材２０の嵌合口２４２とともに、可動部３０の嵌合部３３に沿って、対応領域２４１まで下方へ変位して、係合部３１によって当接される。そのため、位置付け部材２０の係止部２４３が、モップ部１０と清掃部４０の重力により、可動部３０の被係止部３２と係止し、握り棒３５が上方へ変位する時、可動部３０と位置付け部材２０及びモップ部１０が同期に回転し、清掃部４０が回転力（遠心力）により展開状態になり、展示会の展示等の多用途使用に活用できる。
【００４１】
また、図９のように、モップ部１０は、制限溝部１１の両側壁の上段に、係止部１３が設置され、二つの位置付け部材２０は（図１０と図１１のように）、上側当接面２４に、内チェック空間２２に沿って、上方へ半円形の対応領域２４１’が突出して、半円形の嵌合口２４２が形成される。対応領域２４１’の上面内壁に、一つ又は二つ以上の矩形ブロック状の係止部２４３’が設置される。
【００４２】
また、二つの位置付け部材２０の下側当接辺２３に、それぞれ、内チェック空間２２に沿って、互いに嵌合する突出状の接合部２３１’と凹みの接合領域２３２’が形成される（図１２のように）。二つの位置付け部材２０は、それぞれ、内チェック空間２２の両外側に、対称するように、モップ部１０の係止部１３内に収納され、互いに係止できる係止ホック２０１と係止孔２０１’が設けられる。可動部３０は、円盤状の係合部３１’と対応領域２４１’があり、二つの位置付け部材２０の内チェック空間２２内に位置し、係合部３１’の上面の周りに、一つ又は二つ以上の矩形溝状の被係止部３２’が囲まれる。
【００４３】
握り棒３５が上方へ変位する時、モップ部１０が、清掃部４０の重力により、被係止部３２’と係止部２４３’と互いに係止するまで、下方へ変位する。そのため、握り棒３５に連動されて、二つの位置付け部材２０とモップ部１０とが、同期に回転し、清掃部４０が、回転力により、展開でき、展示会の展示等の多用途使用に活用できる。
【００４４】
握り棒３５が、図１３のように、被係止部３２’まで、下方へ変位して係止部２４３’から脱離して、内チェック空間２２内に枢着される時、モップ部１０と清掃部４０とが、脱水装置内で、軸回転し、握り棒３５が連動されず、水分を抜く動作が行なわれない。
【００４５】
また、床面を清掃する時、モップ部１０が、水を拭き取る床形や隅に応じて、可動部３０や握り棒３５によって制限されず、自在に転動でき、よりスムーズに使用することができ、且つ気楽に操作することができるので、より良い使用状態が実現される。
【００４６】
また、嵌合部３３’の上面に、対応するように、両側に枢着孔３４１’を有する凵形状溝部３４’と底端に枢着柱３５１を有する握り棒３５とが設けられ、上記溝部３４の底面に、握り棒３５が下方へ変位することとともに二つの位置付け部材２０の上面に当接し、嵌合部３３の外径より大きい当接面３４２’が形成される。
【００４７】
図１４及び図１５で示すように、モップ部１０は、底面に、リング状凹溝１１’が設けられて、その両側に、それぞれ、当接壁１２’が形成され、凹溝１１’の上面に、若干の連通する実装領域１３’が貫設される。上記実装領域１３’は、矩形孔状であり、清掃部４０は、帯体４２によって連結され、リング状に形成され、凹溝１１’に収納されて両側当接壁１２’によって限制される若干の棉条／布条４１からなる。各棉条／布条４１は、内短外長に配列されて帯体４２に結合され、短側部４０１と長側部４０２が形成される。
【００４８】
清掃部４０の短側部４０１が、当接壁１２’によって拘束され、モップ部１０の内面で隆起嵩高状になり、長側部４０２が、当接壁１２’によって拘束されて下方へ垂れ、また、リング状圧迫面５１を有する押さえ部材５０が、凹溝１１’内に位置し、圧迫面５１の上面に、対応する若干の被実装領域５２と実装領域１３’が設けられる。
【００４９】
上記被実装領域５２は、係止ホック状に設けられ、嵌合脚５２１と案内ホック部５２２が、形成され、それらが、棉条／布条４１の隙間に通して実装領域１３’に沿って案内ホック部５２２に嵌入されてモップ部１０の端面に係止され、清掃部４０が、凹溝１１’内に固定される。これにより、組立てが、より簡単で、迅速に行なうことができる。
【００５０】
また、作業者が、自身で押さえ部材５０をモップ部１０から取り外して、清掃部４０を交換することができるため、押さえ部材５０の再利用ができ、環境保護の利益が得られる。そして、各種類の材質の清掃部４０を組立てることができるので、より良い使用状態を実現することができ、市場競争力も向上させることができる。
【００５１】
他の組立て態様は、図１６と図１７に示すように、モップ部１０の実装領域１３’が、管柱１３１’に形成され、押さえ部材５０の被実装領域５２’が、穿孔５２１’に形成される。上記穿孔５２１’は、内径が、管柱１３１’の外径よりやや大きく、下方へ比較的に大きい口径を有する収納部５２２’が伸びて、当接縁５２３’が形成される。それに、螺条段５３１と当接部５３２を有する部品５３が、下から上へ貫設されて管柱１３１’にロックされる。当接部５３２が、当接縁５２３’により当接されて収納部５２２’に隠されるように収納される。
【００５２】
また、押さえ部材５０は、圧迫面５１の上表面に、部品５３のロック力によって圧迫面５１に合わせて同期に、清掃部４０を圧迫して、位置付ける若干の歯状のすべり防止突出ブロック５１１が設けられる。これにより、清掃部４０が、確実に凹溝１１’内に固定される。
【００５３】
また、図１８に示すように、清掃部４０の各棉条／布条４１は、二つの棉束４１１を交互に絡み合わせて線材４１２により編まれて位置付けられる。また、上記線材４１２で、二つの棉束４１１を絡み合う部位が、編み部４１２１になって、内部に隠され、二つの棉束４１１が、編み部４１２１において、隆起嵩高面４１１１を形成する。
【００５４】
また、図１９と図２０で示すように、清掃部４０’は、若干のＵ状で且つ畳み合い端４１１’を有し、緊密にリング状に配列された棉条／布条４１’と口紐付き袋６０とが縫製されることにより形成される。
【００５５】
口紐付き袋６０は、円形状の底ライナー６１を有し、底ライナー６１の周縁に沿って袋体６２が設けられる。袋体６２の開口端周縁に、フランジ６２１が形成され、フランジ６２１内に、口紐６３が貫設されるための穿溝６２２が形成される。
【００５６】
また、口紐６３に、口紐６３を収束するための収束部材６３１が嵌設され、袋体６２が口紐６３により内縮されることにより、内チェック空間が形成される。底ライナー６１のもう一面において、棉条／布条４１’と重ね合う位置に、帯体４２’が、重ね合う部位に沿って縫われ、各棉条／布条４１’が、内短外長に底ライナー６１に配列されて、短側部４０１’と長側部４０２’が形成される。
【００５７】
上記のように、清掃部４０’の短側部４０１’が、帯体４２’によって拘束され、内側面において隆起嵩高状になり、長側部４０２’が帯体４２’によって拘束され、外側面において、下へ垂れる。そのため、組立てる時、モップ部１０を袋体６２内に設置し、底ライナー６１に張り付いてから口紐６３を締めるだけで、収束部材６３１により、袋体６２とモップ部１０とが、結合される。
【００５８】
また、図２１に示されるように、上記穿溝６２２内に、モップ部１０が、袋体５２に嵌合されて位置付けられるための弾性部品６４が貫設される。
【００５９】
図２２乃至図２４には、モップ部１０は、周縁に、リング状の凹溝１１”が設けられる。口紐付き袋６０は、円形状の底ライナー６１が設けられ、底ライナー６１の周縁にそって、幅がモップ部１０周縁の高さに類似する袋体６２’が設けられる。袋体６２’の開口端に、弾性部品６４が縫われ、底ライナー６１のもう一面が、棉条／布条４１を有する清掃部４０’に縫われ、組立てる時、口紐付き袋６０の弾性部品６４をモップ部１０の凹溝１１”に係合するだけで、モップの組立てを完成することができる。
【００６０】
また、図２５のように、上記モップ部１０の底面が、長方形状や任意の多辺形に形成され、それに、類似する長方形状や任意の多辺形である底ライナー６１を有する口紐付き袋６０が嵌設される。また、上記の口紐付き袋６０が、口紐６３や弾性部品６４により拘束される。
【００６１】
以上、説明したように、本考案は、より進歩的かつより実用的であることが明らかであり、法に従って実用新案登録を求める。
【００６２】
以上は、本考案のより良い実施例であり、本考案は、それによって限定されるものではなく、また、本考案に係る登録請求の範囲や明細書の内容に基づいて行った等価の変更や修正は、全てが、本考案の範囲内に含まれることも明らかである。
【図面の簡単な説明】
【００６３】
【図１】本考案の一実施形態によるモップ構造を示す分解斜視図（１）である。
【図２】図１で示すモップ構造の位置付け部材の拡大斜視図（１）である。
【図３】図１で示すモップ構造の位置付け部材の拡大斜視図（２）である。
【図４】図１で示すモップ構造の組立て斜視図である。
【図５】図４で示すモップ構造の局部断面図である。
【図６】図４で示すモップ構造の局部断面斜視図である。
【図７】図４で示すモップ構造の握り棒が下方へ変位する時、モップ部軸が回転する状態の動作概念図である。
【図８】図４で示すモップ構造の握り棒が上方へ変位する時、モップ部が同期に回転する状態の動作概念図である。
【図９】本考案の他の実施形態によるモップ構造を示す分解斜視図（２）である。
【図１０】図９で示すモップ構造の位置付け部材の拡大斜視図（１）である。
【図１１】図９で示すモップ構造の位置付け部材の拡大斜視図（２）である。
【図１２】図９のモップ構造の組立て断面及び握り棒が上へ変位する時、モップ部が同期に回転する状態を示す動作概念図である。
【図１３】図９のモップ構造の組立て断面及び握り棒が下へ変位する時、モップ部が回転する状態を示す動作概念図である。
【図１４】本考案の一実施形態によるモップ構造の分解斜視図（３）である。
【図１５】図１４で示すモップ構造の組立て断面図である。
【図１６】本考案の一実施形態による分解斜視図（４）である。
【図１７】図１６で示すモップ構造の組立て断面図である。
【図１８】本考案の一実施形態によるモップ構造の清掃部の局部拡大概念図である。
【図１９】本考案の一実施形態によるモップ構造の分解斜視図（５）である。
【図２０】図１９で示すモップ構造の組立て斜視図である。
【図２１】本考案の一実施形態によるモップ構造の組立て斜視図（６）である。
【図２２】本考案の一実施形態によるモップ構造の分解斜視図（７）である。
【図２３】図２２で示すモップ構造の組立て斜視図である。
【図２４】図２２で示すモップ構造の組立て断面図である。
【図２５】本考案の一実施態様によるモップ構造の分解斜視図（８）である。
【符号の説明】
【００６４】
１０     モップ部
１０１   清掃部
１１     制限溝部
１１’、１１”   凹溝
１２     係合領域
１２’   当接部
１３     係止部
１３’   実装領域
１３１’  管柱
２０     位置付け部材
２０１   係止ホック
２０１’  係止孔
２１     側部当接面
２２     内チェック空間
２３     下側当接辺
２３１、２３１’ 接合部  
２３２、２３２’ 接合領域
２４、２４’     上側当接面
２４１、２４１’ 対応領域
２４２   嵌合口
２４３、２４３’ 係止部
２５     係合ブロック
３０     可動部
３１、３１’     係合部
３２、３２’     被係止部
３３、３３’     嵌合部
３４、３４’     溝部
３４１、３４１’ 枢着孔
３４２、３４２’ 当接面
３５     握り棒
３５１   枢着柱
４０、４０’     清掃部
４０１、４０１’ 短側部
４０２、４０２’ 長側部
４１、４１’     棉条／布条
４１１     棉束
４１１’   畳み合い端
４１１１   嵩高面
４１２     線材
４１２１   編み部
４２、４２’     帯体
５０       押さえ部材
５１       圧迫面
５１１     すべり防止突出ブロック
５２、５２’   被実装領域
５２１     嵌合脚
５２１’   穿孔
５２２     案内ホック部
５２２’   収納部
５２３’   当接縁
５３       部品
５３１     螺条部
５３２     当接部
６０       口紐付き袋
６１       底ライナー
６２、６２’ 袋体
６２１     フランジ
６２２     穿溝
６３       口紐
６３１     収束部材
６４       弾性部品
【図１】
0003157542.tif 000003
【図２】
0003157542.tif 000004
【図３】
0003157542.tif 000005
【図４】
0003157542.tif 000006
【図５】
0003157542.tif 000007
【図６】
0003157542.tif 000008
【図７】
0003157542.tif 000009
【図８】
0003157542.tif 000010
【図９】
0003157542.tif 000011
【図１０】
0003157542.tif 000012
【図１１】
0003157542.tif 000013
【図１２】
0003157542.tif 000014
【図１３】
0003157542.tif 000015
【図１４】
0003157542.tif 000016
【図１５】
0003157542.tif 000017
【図１６】
0003157542.tif 000018
【図１７】
0003157542.tif 000019
【図１８】
0003157542.tif 000020
【図１９】
0003157542.tif 000021
【図２０】
0003157542.tif 000022
【図２１】
0003157542.tif 000023
【図２２】
0003157542.tif 000024
【図２３】
0003157542.tif 000025
【図２４】
0003157542.tif 000026
【図２５】
0003157542.tif 000027
【手続補正書】
【提出日】平成21年12月8日(2009.12.8)
【手続補正１】
【補正対象書類名】実用新案登録請求の範囲
【補正対象項目名】請求項１９
【補正方法】変更
【補正の内容】
【請求項１９】
清掃布が、若干のＵ状で且つ畳み合い端があり、緊密にリング状に配列された棉条／布条と口紐付き袋とが縫製されることにより形成され、口紐付き袋に、底ライナーがあり、底ライナーの周縁に沿って、リング状の袋体が設けられ、それに、袋口を締めて袋体に内チェック空間を形成するための口紐が貫設され、上記内チェック空間において、モップ部と口紐付き袋の底ライナーとが、口紐を締めることにより、貼り付くようになることを特徴とするモップ構造。
【手続補正２】
【補正対象書類名】実用新案登録請求の範囲
【補正対象項目名】請求項２２
【補正方法】変更
【補正の内容】
【請求項２２】
清掃布が、若干のＵ状で且つ畳み合い端があり、緊密にリング状に配列された棉条／布条と口紐付き袋とが縫製されることにより形成され、口紐付き袋の周縁に凹溝を有するモップ部を嵌合するための弾性部品を有する袋体が形成され、口紐付き袋の弾性部品をモップ部の凹溝に係合するだけで、モップが組立てられることを特徴とするモップ構造。
【手続補正３】
【補正対象書類名】明細書
【補正対象項目名】００２６
【補正方法】変更
【補正の内容】
【００２６】
請求項１９によれば、清掃布が、若干のＵ状で且つ畳み合い端があり、緊密にリング状に配列された棉条／布条と口紐付き袋とが縫製されることにより形成され、口紐付き袋に、底ライナーがあり、底ライナーの周縁に沿って、リング状の袋体が設けられ、それに、袋口を締めて袋体に内チェック空間を形成するための口紐が貫設され、上記内チェック空間において、モップ部と口紐付き袋の底ライナーとが、口紐を締めることにより、貼り付くようになることを特徴とするモップ構造が提供される。